(57)【特許請求の範囲】
【請求項１】
所定の内容物を収納してなる容器であって、
上面部に上記内容物を取り出す取出口が設けられた容器本体と、該容器本体における下面部側に、塑性変形材料で成形された伸張テープを配して形成された容器引掛部とを具備し、
上記容器本体は、長方体形状の箱体からなり、
上記容器引掛部は、１本の上記伸張テープの両端を互いに対向する２つの側面部に固着させて形成された左右一対の固着部と、上記下面部上に位置し、上記容器本体に固着されていない伸張部とからなり、該伸張部は、該容器本体の上記下面部の表面に密接して配されており、
上記伸張部は、引っ張られ伸張されて使用されることを特徴とする容器。
【請求項２】
所定の内容物を収納してなる容器であって、
上面部に上記内容物を取り出す取出口が設けられた容器本体と、該容器本体における下面部側に、塑性変形材料で成形された伸張テープを配して形成された容器引掛部とを具備してなり、
上記容器本体は、長方体形状の箱体からなり、
上記容器引掛部は、第１の引掛部と第２の引掛部とからなり、該第１の引掛部は、上記伸張テープの基端部を一側面部に固着して形成された固着部と、該伸張テープの先端部に連設された引掛部材と、該固着部及び該引掛部材の間に位置し、該容器本体に固着されていない伸張部とからなり、該第２の引掛部は、該伸張テープの基端部を該一側面部に対向する他側面部に固着して形成された固着部と、該伸張テープの先端部に連設された引掛部材と、該固着部及び該引掛部材の間に位置し、該容器本体に固着されていない伸張部とからなり、一対の上記引掛部材は、それぞれ、上記下面部に位置して仮固定されており、一対の上記伸張部は、それぞれ、該下面部の表面に密接して配されており、
一対の上記伸張部は、それぞれ、引っ張られ伸張されて使用されることを特徴とする容器。
【請求項３】
上記内容物が、シートの積層物であり、該積層物は、シートを２つ折りにし、交互に重なるように積層されて、シートの一枚を引き出すと次のシートの端部が容器の上記取り出し口から容器の外方に飛び出すようになされていることを特徴とする請求項１又は２記載の容器。
【発明の詳細な説明】
【０００１】
【発明の属する技術分野】
本発明は、各種シート材等の所定の内容物を収納でき、且つ該内容物の取り出しが容易となるように設置することが可能な容器に関する。
【０００２】
【従来の技術及び発明が解決しようとする課題】
従来より、各種シート類等を収納してなる容器は種々提案されて実用に供されている。
上記のシート類を収納してなる容器において、シート類は、通常多数のシートが２つ折りにされ、交互に重なるように積層されて収納されている。そして、シートを取り出す際には、１枚のシートを取り出すと次のシートの端部が容器から外方に飛び出すようになされている。このような形態を、通常シートポップアップ式という。
しかし、シートポップアップ式で収納されていると、使い初めの取り出しやすさの点では良好であるが、収納枚数が減少すると次のシートが容器の外方に飛び出さなくなる場合があり、使用に伴って取り出しやすさが低下するという問題があった。
また、マヨネーズ等の流動物の容器においても、使用に伴って内容物の容量が減ると、内容物の取出が困難になる問題が生じていた。
【０００３】
従って、本発明の目的は、使用が進んで内容物の容量が減っても内容物の取り出し易さが低下しない容器を提供することにある。
【０００４】
【課題を解決するための手段】
本発明者らは、上記課題を解消すべく鋭意検討した結果、容器下面部側に伸張テープにより形成された容器引掛部を有する容器が上記目的を達成しうることを知見した。
【０００５】
本発明は、上記知見に基づいてなされたもので、所定の内容物を収納してなる容器であって、上面部に上記内容物を取り出す取出口が設けられた容器本体と、該容器本体における下面部側に、塑性変形材料で成形された伸張テープを配して形成された容器引掛部とを具備し、上記容器本体は、長方体形状の箱体からなり、上記容器引掛部は、１本の上記伸張テープの両端を互いに対向する２つの側面部に固着させて形成された左右一対の固着部と、上記下面部上に位置し、上記容器本体に固着されていない伸張部とからなり、該伸張部は、該容器本体の上記下面部の表面に密接して配されており、上記伸張部は、引っ張られ伸張されて使用されることを特徴とする容器容器（以下、この発明を「第１発明」という）を提供するものである。
【０００７】
また、本発明は、上記知見に基づいてなされたもので、所定の内容物を収納してなる容器であって、上面部に上記内容物を取り出す取出口が設けられた容器本体と、該容器本体における下面部側に、塑性変形材料で成形された伸張テープを配して形成された容器引掛部とを具備してなり、上記容器本体は、長方体形状の箱体からなり、上記容器引掛部は、第１の引掛部と第２の引掛部とからなり、該第１の引掛部は、上記伸張テープの基端部を一側面部に固着して形成された固着部と、該伸張テープの先端部に連設された引掛部材と、該固着部及び該引掛部材の間に位置し、該容器本体に固着されていない伸張部とからなり、該第２の引掛部は、該伸張テープの基端部を該一側面部に対向する他側面部に固着して形成された固着部と、該伸張テープの先端部に連設された引掛部材と、該固着部及び該引掛部材の間に位置し、該容器本体に固着されていない伸張部とからなり、一対の上記引掛部材は、それぞれ、上記下面部に位置して仮固定されており、一対の上記伸張部は、それぞれ、該下面部の表面に密接して配されており、一対の上記伸張部は、それぞれ、引っ張られ伸張されて使用されることを特徴とする容器（以下、この発明を「第２発明」という）を提供するものである。
【０００８】
また、本発明は、上記内容物が、シートの積層物であり、該積層物は、シートを２つ折りにし、交互に重なるように積層されて、シートの一枚を引き出すと次のシートの端部が容器の上記取り出し口から容器の外方に飛び出すようになされていることを特徴とする上記容器（上記第１及び第２発明の容器）を提供するものである。
【０００９】
【発明の実施の形態】
以下、本発明の容器について、図面を参照して詳細に説明する。
先ず、本発明の第１発明について説明する。
ここで、図１は、本発明（第１発明）の容器の１形態を示す斜視図であり、図２は、図１に示す容器の伸張テープを伸張させた状態を示す斜視図であり、図３は、図１に示す容器の使用状態を示す斜視図である。
【００１０】
図１に示す形態の容器１は、所定の内容物４（図３参照）を収納してなる容器であって、上面部に上記内容物４を取り出す取出口２４（図３参照）が設けられた容器本体２と、該容器本体２における下面部２２側に、塑性変形材料で成形された伸張テープ３１を配して形成された容器引掛部３とを具備する。
【００１１】
更に詳細に説明すると、上記上面部２１及び上記下面部２２は、それぞれ矩形状であり、上記容器本体２は、該上面部２１及び該下面部２２並びにこれらを連結する４つの矩形状の側面部２３を有する箱体からなる。即ち、上記容器本体は、長方体形状の箱体からなる。また、上記容器引掛部２は、１本の上記伸張テープ３１の両端を互いに対向する２つの該側面部２３に固着させて形成された左右一対の固着部３２と、該下面部２２上に位置し、容器本体２に固着されていない伸張部３３とからなる。伸張部３３は、図１に示すように、容器本体２の下面部２２の表面に密接して配されている。
【００１２】
上記上面部２１及び上記下面部２２はそれぞれ長方形状であり、上記容器本体２の全体の形状は、長方体形状である。そして、上記側面部２３も、上記上面部２１及び上記下面部２２の長辺側同士を連結する一対の長方形状の長辺側面部２３ａと、短辺側同士を連結する一対の長方形状の短辺側面部２３ｂとからなる。また、上記上面部２１に設けられた上記取出口２４は、図３に示すように、上記上面部２１の中央部分を六角形状に切り欠かれて形成されており、その内面側には、通常のティッシュボックスと同様に中央部にスリット２５ａが入れられたシート材２５（図３参照）が付設されている。
【００１３】
また、上記伸張テープ３１は、細帯状であり、上記固着部３２は、各短辺側面部２３ｂに固着されて形成されている。また、上記伸張部３３は、下面部２２側に位置する。
また、上記固着部３２は、上記短辺側面部２３ｂの幅方向略中央部に且つ上記下面部２２側の側縁側に設けられている。
また、伸張テープ３１の幅Ｗは、１０〜３０ｍｍとするのが好ましい。
【００１４】
また、上記内容物４は、シートの積層物であり、該積層物は、シートを２つ折りにし、交互に重なるように積層されて、シートの一枚を引き出すと次のシートの端部が容器の上記取り出し口から容器の外方に飛び出すようになされている。即ち、いわゆるポップアップ式のシートの積層物である。
【００１５】
次に、上述の各部材の形成材料について詳述する。
上記容器本体２の形成材料としては、通常のティッシュボックスと同様に、紙等が挙げられる。
【００１６】
上記伸張テープは、引っ張ることにより不可逆的に伸張する（即ち伸張はするが伸縮性は有しない）塑性変形材料により形成されている。この際、用いられる塑性変形材料としては、３０Ｎ／２０mmで伸張させたときの伸張率が、好ましくは１００〜５００％、更に好ましくは２００〜３００％であり、常法に準じて測定される降伏強度が好ましくは２０Ｎ／２０ｍｍ以下、更に好ましくは５〜１０Ｎ／２０ｍｍである塑性変形材料を特に制限なく用いることができる。
尚、上記「伸張率」とは、「伸張させて伸びた分の長さ」の「伸張前の長さ」に対する比であり、例えば、伸張前の長さが１００ｍｍのものが伸張後２００ｍｍになれば、その伸張率は１００％である。
【００１７】
具体的には、上記塑性変形材料としては、ポリオレフィン系樹脂を溶融押し出しして成形されてなる樹脂フィルムが好ましく用いられる。
上記ポリオレフィン系樹脂としては、ポリプロピレンホモポリマー；ポリプロピレンとポリエチレン等との、ブロックコポリマー、ランダムコポリマー、ランダムブロックコポリマー等のポリプロピレンコポリマー；該ポリプロピレンホモポリマーと該ポリプロピレンコポリマーとのブレンド物；高密度ポリエチレン、低密度ポリエチレン、線状低密度ポリエチレン等のポリエチレン；該ポリエチレンと該ポリプロピレンホモポリマー及び／又は該ポリプロピレンコポリマーとノブレンド物等が挙げられる他、これらにオレフィン系、ポリエステル系、ポリアミド系、スチレン系等の種々の熱可塑性エラストマーをブレンドして用いてもよい。
【００１８】
また、上記内容物４たるシートとしては、おしりふき用に薬剤が含浸された紙や不織布からなるシート、具体的には「サニーナロール」商品名、花王（株）製等が挙げられる。
【００１９】
そして、本形態の容器１は、図２に示すように、先ず、容器引掛部３の伸張部３３を引っ張り、伸張させる。次に、図３に示すように、伸張させた伸張部３３をトイレットペーパーロールの設置用器具１００の上端面側に引っ掛けることにより、使用できる。
本形態の容器１は、上述の如く構成されているので、図３に示すように、取出口２４を下向きにした状態で、容器１を設置してシート（内容物４）を引き出すことができる。このため、使用が進んで、内容物４たるシートの量が減ってもシートが取り出しにくくなることがなく、使い易さが低下することがない。
【００２０】
本形態の容器１は、以下のようにして製造できる。
即ち、常法に従って、シートの積層体が収納された箱体を作成し、この箱体の下面部側に伸張テープを、その両端部を接着剤により側面の下方に固着することにより、設置して製造できる。
【００２１】
尚、本発明の容器は、上述の形態には限定されず、本発明の趣旨を逸脱しない範囲で種々変更可能である。
例えば、本発明の容器は、マヨネーズなどの流動物などを内容物とする容器にも適用可能である。具体的には、一般のマヨネーズの容器のように取り出し口を有する上面部と、該上面部に対向する下面部とを具備し、更に、該上面部と該下面部とがチューブ状の連結部により連結されて容器本体が形成されており、更に該容器本体の上部には取り出し口を保護するためのキャップが設けられている容器において該容器の下面部側に上記容器引掛部を設けてなる構成とすることもできる。
また、容器本体の形状は立方体形状など種々の形状とすることができる。
【００２２】
次に、図４〜６を参照して、本発明（第２発明）の容器の１形態について説明する。
ここで、図４は、本発明（第２発明）の容器の１形態を示す斜視図であり、図５は、図４に示す容器の伸張テープを伸張させた状態を示す斜視図であり、図６は、図４に示す容器の使用態様を示す斜視図である。
尚、以下の説明において、上述の第１発明と異なる点について特に詳述する。特に説明しない点については、上述した第１発明においてした説明が適宜適用される。
【００２３】
図４に示す形態の容器１は、所定の内容物４（図６参照）を収納してなる容器であって、上面部２１に上記内容物４を取り出す取出口２４（図６参照）が設けられた容器本体２と、該容器本体２における下面部２２側に、塑性変形材料で成形された伸張テープ３１を配して形成された容器引掛部３とを具備する。
【００２４】
更に詳述すると、上記上面部２１及び上記下面部２２は、それぞれ矩形状であり、上記容器本体２は、該上面部２１及び該下面部２２並びにこれらを連結する４つの矩形状の側面部２３を有する箱体からなる。即ち、上記容器本体２は、長方体形状の箱体からなる。また、上記容器引掛部３は、第１の引掛部３５ａと第２の引掛部３５ｂとからなり、該第１の引掛部３５ａは、上記伸張テープ３１の基端部を一側面部１２３ｂに固着して形成された固着部３２と、該伸張テープ３１の先端部に連設された引掛部材３４と、該固着部３２及び該引掛部材３４の間に位置し、該容器本体２に固着されていない伸張部３３とからなり、該第２の引掛部３５ｂは、該伸張テープ３１の基端部を該一側面部１２３ｂに対向する他側面部２２３ｂに固着して形成された固着部３２と、該伸張テープ３１の先端部に連設された引掛部材３４と、該固着部３２及び該引掛部材３４の間に位置し、該容器本体２に固着されていない伸張部３３とからなり、一対の上記引掛部材３４は、それぞれ、上記下面部２２に位置して仮固定されている。一対の伸張部３３は、それぞれ、該下面部２２の表面に密接して配されている。上記容器本体２の形状などは、上述した第１発明と同様である。
【００２５】
上記容器引掛部３については、第１の引掛部３５ａ及び第２の引掛部３５ｂは、それぞれ対象であるから、第１の引掛部３５ａについて説明し、第２の引掛部３５ｂについての説明は割愛する。
また、上記伸張テープ３１は、細帯状であり、上記固着部３２は、対向する各短辺側面部２３ｂに該伸張テープ３１の基端部を固着させて形成されている。
また、上記固着部２２は、上記一側面部（短辺側面）１２３ｂの幅方向及び長手方向略中央部に形成されている。
また、伸張テープ３１の幅Ｗ’は、１０〜３０ｍｍとするのが好ましい。
【００２６】
上記引掛部材３４は、それぞれコの字状であり、図４に示すように、エの字となるように下面部２２上に２つ並べられて、一部を接着剤により接着して剥離可能に仮固定されている。また、上記引掛部材３４の幅は、上記伸張テープ３１の幅と略同じ幅となされている。また、上記引掛部材３４は、上記伸張テープ３１を伸張させたときに、鉤手として機能する前端部３４ａがそれぞれ同方向を向くように、後端部３４ｂに上記伸張テープが接着されている（図５参照）。
また、上記内容物４は、上記の第１発明と同じである。
【００２７】
上記容器本体２、上記伸張テープ３１及び上記内容物４の形成材料としては、上述した第１発明と同じである。また、上記引掛部材３４の形成材料としては、上記容器本体２の形成材料と同じものを用いることができる。
【００２８】
そして、本形態の容器は、図５に示すように、先ず、容器引掛部３の伸張部３３を引っ張り、伸張させる。次に、図６に示すように、伸張させた伸張部３３の先端に位置する引掛部材３４をトイレットペーパーロール芯のホルダー部分１０１などに引掛ることにより、使用できる。
本形態の容器１は、上述の如く構成されているので、図３に示すように、取出口を下向きにして、容器を設置してシートを引き出すことができる。このため、使用が進んで、内容物たるシートの量が減っても取り出しにくくなることがなく、使い易さが低下することがない。
このように、本形態の容器は、第１発明の容器では使用が困難なタイプのペーパーホルダーに対しても容易に使用でき、第１発明の容器と同じ効果が奏される。
【００２９】
本形態の容器は、以下のようにして製造できる。
即ち、常法に従って、シートの積層部が収納された箱体を作成し、この箱体の下面部側に先端部に上記引掛部材が配された伸張テープを、その基端部を接着剤により側面部の略中央下方に固着し、更に上記引掛部材も接着剤により仮止めし設置して製造できる。
【００３０】
尚、本発明（第２発明）の容器は、上述の形態には限定されず、本発明の趣旨を逸脱しない範囲で種々変更可能であり、具体的には、上述した第１発明の変形例と同様に変更することができる。
【００３１】
【発明の効果】
本発明の容器は、使用が進んで、内容物の容量が減っても、内容物の取り出し易さが低下しない容器である。
【図面の簡単な説明】
【図１】図１は、本発明（第１発明）の容器の１形態を示す斜視図である。
【図２】図２は、図１に示す容器の伸張テープを伸張させた状態を示す斜視図である。
【図３】図３は、図１に示す容器の使用状態を示す斜視図である。
【図４】図４は、本発明（第２発明）の容器の１形態を示す斜視図である。
【図５】図５は、図４に示す容器の伸張テープを伸張させた状態を示す斜視図である。
【図６】図６は、図４に示す容器の使用状態を示す斜視図である。
【符号の説明】
１    容器
２    容器本体
２１    上面部
２２    下面部
２３    側面部
２３ａ  長辺側面部
２３ｂ  短辺側面部
２４    取出口
２５    シート材
３    容器引掛部
３１    伸張テープ
３２    固着部
３３    伸張部
３４    引掛部材
３５ａ  第１の引掛部
３５ｂ  第２の引掛部
４    内容物
【図１】
0003891671.tif 000002
【図２】
0003891671.tif 000003
【図３】
0003891671.tif 000004
【図４】
0003891671.tif 000005
【図５】
0003891671.tif 000006
【図６】
0003891671.tif 000007